(57)【要約】      （修正有）【課題】対象情報の読み取り精度を向上させる読取システム及び読取プログラムを提供する。【解決手段】情報システム９００においてサーバ装置２は、複数の候補情報である全体関連薬剤候補情報を格納する全体候補情報ＤＢ２２１と、対象情報を表示している対象画像を取得する画像取得部２３１と、過去の対象情報又は、対象情報に関連する状態を特定する状態情報のうちの少なくとも１個の情報と、全体候補情報ＤＢ２２１が格納する複数の候補情報である全体関連薬剤候補情報とに基づいて、画像取得部２３１が取得した対象画像が表示している対象情報を読み取る読取部２３２と、を備える。読取部２３２は、画像取得部２３１が取得した対象画像が表示している対象情報と、全体候補情報ＤＢ２２１が格納する複数の候補情報である全体関連薬剤候補情報との一致度と、過去の対象情報及び状態情報とに基づいて、１個の全体関連薬剤候補情報を選択する。【選択図】図１
2020194507.tif 000002
【特許請求の範囲】
【請求項１】
対象情報を読み取る読取システムであって、
前記読取システムにて読み取られ得る候補である複数の候補情報を格納する候補情報格納手段と、
前記対象情報を表示している対象画像を取得する画像取得手段と、
過去の前記対象情報、前記対象情報に関連する状態を特定する状態情報、前記画像取得手段が取得した前記対象画像が表示している前記対象情報以外の他の情報、又は前記対象情報に関して予め定められているロジックを特定するロジック情報のうちの少なくとも１個の情報と、前記候補情報格納手段が格納する前記複数の候補情報とに基づいて、前記画像取得手段が取得した前記対象画像が表示している前記対象情報を読み取る読取手段と、
を備える読取システム。
【請求項２】
前記読取手段は、前記画像取得手段が取得した前記対象画像が表示している前記対象情報と、前記候補情報格納手段が格納する前記複数の候補情報との一致度、及び前記少なくとも１個の情報に基づいて、前記候補情報格納手段が格納する前記複数の候補情報のうちの１個の候補情報を選択し、選択した１個の候補情報を、前記画像取得手段が取得した前記対象画像が表示している前記対象情報として読み取る、
請求項１に記載の読取システム。
【請求項３】
前記読取手段は、過去の前記対象情報、前記状態情報、前記他の情報、又は前記ロジック情報のうちの２個以上の情報を順次用いて、前記候補情報格納手段が格納する前記複数の候補情報のうちの１個の候補情報を選択する、
請求項２に記載の読取システム。
【請求項４】
前記読取手段は、過去の前記対象情報に基づいて前記状態情報を推定し、推定した前記状態情報と、前記候補情報格納手段が格納する前記複数の候補情報とに基づいて、前記画像取得手段が取得した前記対象画像が表示している前記対象情報を読み取る、
請求項１から３の何れか一項に記載の読取システム。
【請求項５】
前記状態情報は、前記画像取得手段が取得した前記対象画像が表示している前記対象情報に関連するユーザの状態を特定する情報を含み、
前記読取手段は、前記ユーザの過去の前記対象情報に基づいて当該ユーザの状態を特定する前記状態情報を推定し、少なくとも推定した前記状態情報と、前記候補情報格納手段が格納する前記複数の候補情報とに基づいて、前記画像取得手段が取得した前記対象画像が表示している前記対象情報を読み取る、
請求項４に記載の読取システム。
【請求項６】
前記対象情報は、医療に関する情報である、
請求項１から５の何れか一項に記載の読取システム。
【請求項７】
対象情報を読取システムで読み取る読取プログラムであって、
コンピュータを、
前記対象情報を表示している対象画像を取得する画像取得手段と、
過去の前記対象情報、前記対象情報に関連する状態を特定する状態情報、前記画像取得手段が取得した前記対象画像が表示している前記対象情報以外の他の情報、又は前記対象情報に関して予め定められているロジックを特定するロジック情報のうちの少なくとも１個の情報と、前記読取システムにて読み取られ得る候補である複数の候補情報を格納する候補情報格納手段が格納する前記複数の候補情報とに基づいて、前記画像取得手段が取得した前記対象画像が表示している前記対象情報を読み取る読取手段と、
として機能させる読取プログラム。
【発明の詳細な説明】
【技術分野】
【０００１】
本発明は、読取システム及び読取プログラムに関する。
【背景技術】
【０００２】
従来、スキャナ等の入力部にて紙媒体の処方箋の情報を読み取って管理する端末装置が知られていた（特許文献１参照）。そして、この特許文献１の技術のようにスキャナ等にて紙媒体の情報を読み取る場合、一般的に、紙媒体の情報を画像として取得した上で、光学的文字認識（ＯＣＲ：Ｏｐｔｉｃａｌ  Ｃｈａｒａｃｔｅｒ  Ｒｅｃｏｇｎｉｔｉｏｎ／Ｒｅａｄｅｒ）の技術を用いて読み取っていた。
【先行技術文献】
【特許文献】
【０００３】
【特許文献１】特開２０１７−１４２６６５号公報
【発明の概要】
【発明が解決しようとする課題】
【０００４】
しかしながら、従来のＯＣＲの技術を用いて紙媒体の情報を読み取る場合、紙媒体の画像にてＯＣＲの技術を用いて情報を１文字ずつ読み取っていたので、例えば、紙媒体の画像の中の各文字の濃さの違い等によりＯＣＲにて正しく文字認識できずに、紙媒体の処方箋の情報の読取精度が低下する可能性があった。
【０００５】
本発明は上記問題に鑑みてなされたもので、対象情報の読み取り精度を向上させることを目的とする。
【課題を解決するための手段】
【０００６】
上述した課題を解決し、目的を達成するために、請求項１に記載の読取システムは、対象情報を読み取る読取システムであって、前記読取システムにて読み取られ得る候補である複数の候補情報を格納する候補情報格納手段と、前記対象情報を表示している対象画像を取得する画像取得手段と、過去の前記対象情報、前記対象情報に関連する状態を特定する状態情報、前記画像取得手段が取得した前記対象画像が表示している前記対象情報以外の他の情報、又は前記対象情報に関して予め定められているロジックを特定するロジック情報のうちの少なくとも１個の情報と、前記候補情報格納手段が格納する前記複数の候補情報とに基づいて、前記画像取得手段が取得した前記対象画像が表示している前記対象情報を読み取る読取手段と、を備える。
【０００７】
また、請求項２に記載の読取システムは、請求項１に記載の読取システムにおいて、前記読取手段は、前記画像取得手段が取得した前記対象画像が表示している前記対象情報と、前記候補情報格納手段が格納する前記複数の候補情報との一致度、及び前記少なくとも１個の情報に基づいて、前記候補情報格納手段が格納する前記複数の候補情報のうちの１個の候補情報を選択し、選択した１個の候補情報を、前記画像取得手段が取得した前記対象画像が表示している前記対象情報として読み取る。
【０００８】
また、請求項３に記載の読取システムは、請求項２に記載の読取システムにおいて、前記読取手段は、過去の前記対象情報、前記状態情報、前記他の情報、又は前記ロジック情報のうちの２個以上の情報を順次用いて、前記候補情報格納手段が格納する前記複数の候補情報のうちの１個の候補情報を選択する。
【０００９】
また、請求項４に記載の読取システムは、請求項１から３の何れか一項に記載の読取システムにおいて、前記読取手段は、過去の前記対象情報に基づいて前記状態情報を推定し、推定した前記状態情報と、前記候補情報格納手段が格納する前記複数の候補情報とに基づいて、前記画像取得手段が取得した前記対象画像が表示している前記対象情報を読み取る。
【００１０】
また、請求項５に記載の読取システムは、請求項４に記載の読取システムにおいて、前記状態情報は、前記画像取得手段が取得した前記対象画像が表示している前記対象情報に関連するユーザの状態を特定する情報を含み、前記読取手段は、前記ユーザの過去の前記対象情報に基づいて当該ユーザの状態を特定する前記状態情報を推定し、少なくとも推定した前記状態情報と、前記候補情報格納手段が格納する前記複数の候補情報とに基づいて、前記画像取得手段が取得した前記対象画像が表示している前記対象情報を読み取る。
【００１１】
また、請求項６に記載の読取システムは、請求項１から５の何れか一項に記載の読取システムにおいて、前記対象情報は、医療に関する情報である。
【００１２】
また、請求項７に記載の読取プログラムは、対象情報を読取システムで読み取る読取プログラムであって、コンピュータを、前記対象情報を表示している対象画像を取得する画像取得手段と、過去の前記対象情報、前記対象情報に関連する状態を特定する状態情報、前記画像取得手段が取得した前記対象画像が表示している前記対象情報以外の他の情報、又は前記対象情報に関して予め定められているロジックを特定するロジック情報のうちの少なくとも１個の情報と、前記読取システムにて読み取られ得る候補である複数の候補情報を格納する候補情報格納手段が格納する前記複数の候補情報とに基づいて、前記画像取得手段が取得した前記対象画像が表示している前記対象情報を読み取る読取手段と、として機能させる。
【発明の効果】
【００１３】
請求項１に記載の読取システム、及び請求項７に記載の読取プログラムによれば、過去の対象情報、対象情報に関連する状態を特定する状態情報、画像取得手段が取得した対象画像が表示している対象情報以外の他の情報、又は対象情報に関して予め定められているロジックを特定するロジック情報のうちの少なくとも１個の情報と、候補情報格納手段が格納する複数の候補情報とに基づいて、画像取得手段が取得した対象画像が表示している対象情報を読み取ることにより、例えば、複数の候補情報を適切に用いて対象情報を読み取ることができるので、対象情報の読み取り精度を向上させることが可能となる。
【００１４】
請求項２に記載の読取システムによれば、対象画像が表示している対象情報と、候補情報格納手段が格納する複数の候補情報との一致度、及び過去の対象情報、状態情報、他の情報、又はロジック情報のうちの少なくとも１個の情報に基づいて、候補情報格納手段が格納する複数の候補情報のうちの１個の候補情報を選択し、選択した１個の候補情報を、対象画像が表示している対象情報として読み取ることにより、例えば、候補情報を適切に１個に絞ることができるので、対象情報の読み取り精度を向上させることが可能となる。
【００１５】
請求項３に記載の読取システムによれば、過去の対象情報、状態情報、他の情報、又はロジック情報のうちの２個以上の情報を順次用いて、候補情報格納手段が格納する複数の候補情報のうちの１個の候補情報を選択することにより、例えば、候補情報をより適切に１個に絞ることができるので、対象情報の読み取り精度を向上させることが可能となる。
【００１６】
請求項４に記載の読取システムによれば、過去の対象情報に基づいて状態情報を推定し、推定した状態情報と、候補情報格納手段が格納する複数の候補情報とに基づいて、対象画像が表示している対象情報を読み取ることにより、例えば、状態情報を反映して対象情報を読み取ることができるので、対象情報の読み取り精度を向上させることが可能となる。
【００１７】
請求項５に記載の読取システムによれば、ユーザの過去の対象情報に基づいて当該ユーザの状態を特定する状態情報を推定し、少なくとも推定した状態情報と、候補情報格納手段が格納する複数の候補情報とに基づいて、対象画像が表示している対象情報を読み取ることにより、例えば、ユーザの状態情報を反映して対象情報を読み取ることができるので、対象情報の読み取り精度を向上させることが可能となる。
【００１８】
請求項６に記載の読取システムによれば、対象情報は医療に関する情報であることにより、例えば、医療に関する情報の読み取り精度を向上させることが可能となる。
【図面の簡単な説明】
【００１９】
【図１】本実施の形態に係る情報システムのブロック図である。
【図２】診療明細書を例示した図である。
【図３】全体候補情報を例示した図である。
【図４】個人候補情報を例示した図である。
【図５】病名候補情報を例示した図である。
【図６】読取処理のフローチャートである。
【図７】病院候補情報を例示した図である。
【図８】治療ステージ候補情報を例示した図である。
【発明を実施するための形態】
【００２０】
以下に、本発明に係る読取システム及び読取プログラムの実施の形態を図面に基づいて詳細に説明する。なお、この実施の形態によりこの発明が限定されるものではない。
【００２１】
〔実施の形態の基本的概念〕
まずは、実施の形態の基本的概念について説明する。実施の形態は、概略的に、読取システムに関するものである。
【００２２】
ここで、「読取システム」とは、対象情報を読み取るシステムであり、例えば、対象情報を読み取るための専用システムとして構成されたシステム、又は、汎用のシステム（例えば、サーバ装置、パーソナルコンピュータ、あるいは、タブレット端末等）に対象情報を読み取るための機能を実装することにより構成されたシステム等を含む概念である。この「読取システム」は、例えば、候補情報格納手段、画像取得手段、及び読取手段を備えているものである。
【００２３】
また、「対象情報」とは、読取システムで読み取られる情報であり、例えば、医療に関する情報、又は、医療以外の任意の情報等を含むが概念であり、一例としては、診療明細書、調剤明細書、あるいは、検査結果を示す書類等に記載されている情報を含む概念である。
【００２４】
また、「候補情報格納手段」とは、読取システムにて読み取られ得る候補である複数の候補情報を格納する手段である。「候補情報」とは、読取システムにて読み取られ得る候補の情報であり、例えば、マスタとなる情報であり、また、対象情報と想定される情報等を含む概念であり、一例としては、診療明細書、調剤明細書、あるいは、検査結果等に記載される候補となる情報等を含む概念である。
【００２５】
また、「画像取得手段」とは、対象情報を表示している対象画像を取得する手段である。「対象画像」とは、対象情報が表示されている画像であり、例えば、診療明細書、調剤明細書、あるいは、検査結果を示す書類等の画像を含む概念である。
【００２６】
また、「読取手段」とは、画像取得手段が取得した対象画像が表示している対象情報を読み取る手段であり、具体的には、過去の対象情報、対象情報に関連する状態を特定する状態情報、画像取得手段が取得した対象画像が表示している対象情報以外の他の情報、又は対象情報に関して予め定められているロジックを特定するロジック情報のうちの少なくとも１個の情報と、候補情報格納手段が格納する複数の候補情報とに基づいて、画像取得手段が取得した対象画像が表示している対象情報を読み取る手段である。
【００２７】
また、「対象情報を読み取る」とは、例えば、対象画像が表示している対象情報を読み取って（あるいは、画像認識して）、読み取った対象情報をコンピュータにて利用可能なデータ（例えば、デジタルの文字コード等による任意のデータ）に変換すること等を含む概念である。
【００２８】
また、「過去の対象情報」とは、複数の候補情報から少なくとも１個の候補情報を選択するために用いられる情報であり、具体的には、ユーザに対応付けられている過去の情報であり、例えば、過去に読み取られた情報、あるいは、過去に読み取られた情報に対して一部修正が加えられた情報等を含む概念であり、一例としては、ユーザが過去に取得した診療明細書、調剤明細書、あるいは、検査結果を示す書類等に記載されていた情報を含む概念である。
【００２９】
また、「状態情報」とは、複数の候補情報から少なくとも１個の候補情報を選択するために用いられる情報であり、具体的には、対象情報に関連する状態を特定する情報であり、例えば、画像取得手段が取得した対象画像が表示している対象情報に関連するユーザの状態を特定する情報等を含む概念であり、一例としては、ユーザの病気を特定する情報等を含む概念である。
【００３０】
また、「他の情報」とは、複数の候補情報から少なくとも１個の候補情報を選択するために用いられる情報であり、具体的には、画像取得手段が取得した対象画像が表示している対象情報以外の情報であり、例えば、診療明細書、調剤明細書、あるいは、検査結果等に記載されている対象情報以外の情報であり、一例としては、診療明細書に記載されている診療内容を示す情報が対象情報である場合における、当該診療明細書に記載されている病院名を示す情報等を含む概念である。
【００３１】
また、「ロジック情報」とは、複数の候補情報から少なくとも１個の候補情報を選択するために用いられる情報であり、具体的には、対象情報に関して予め定められているロジックを特定する情報であり、例えば、順次行われる複数の診療内容を特定する方針等を特定する情報等を含む概念であり、一例としては、特定の病気の第１期において第１診療内容を行い、当該特定の病気の第２期（第１期の後の期）において第２診療内容を行い、当該特定の病気の第３期（第２期の後の期）に対して第３診療内容を行う等の方針を特定する情報等を含む概念である。
【００３２】
また、前述の「読取手段」とは、例えば、画像取得手段が取得した対象画像が表示している対象情報と、候補情報格納手段が格納する複数の候補情報との一致度、及び少なくとも１個の情報に基づいて、候補情報格納手段が格納する複数の候補情報のうちの１個の候補情報を選択し、選択した１個の候補情報を、画像取得手段が取得した対象画像が表示している対象情報として読み取る手段等を含む概念である。また、「読取手段」とは、過去の対象情報、状態情報、他の情報、又はロジック情報のうちの２個以上の情報を順次用いて、候補情報格納手段が格納する複数の候補情報のうちの１個の候補情報を選択する手段等を含む概念である。また、「読取手段」とは、例えば、ユーザの過去の対象情報に基づいて当該ユーザの状態を特定する状態情報を推定し、少なくとも推定した状態情報と、候補情報格納手段が格納する複数の候補情報とに基づいて、画像取得手段が取得した対象画像が表示している対象情報を読み取る手段等を含む概念である。
【００３３】
なお、「一致度」とは、一致の度合いを示す概念である。また、「画像取得手段が取得した対象画像が表示している対象情報と、候補情報格納手段が格納する複数の候補情報との一致度」とは、例えば、任意の手法（例えば、公知の光学的文字認識（ＯＣＲ）等の画像認識技術等を用いて画像認識して文字列に変換する手法等）にて文字列に変換された対象画像の対象情報（つまり、対象情報に対応する文字列）と、候補情報格納手段が格納する複数の候補情報（つまり、候補情報に対応する文字列）との一致の度合いである一致度等を含む概念である。
【００３４】
そして、以下に示す実施の形態では、「対象情報」が診療明細書に記載されている診療内容を示す情報である場合について説明する。
【００３５】
［実施の形態の具体的内容］
次に、実施の形態の具体的内容について説明する。
【００３６】
（構成）
まず、本実施の形態に係る情報システムの構成について説明する。図１は、本実施の形態に係る情報システムのブロック図であり、また、図２は、診療明細書を例示した図である。なお、図２では、一部の情報の具体的な記載が省略されて「・・・」と図示されている（他の図でも省略箇所には「・・・」を適宜図示する）。また、図１の情報システム９００に含まれる端末装置の個数は任意であるが、ここでは、例えば、説明の便宜上、６個の端末装置１０１〜１０６を図示して説明する。また、例えば、端末装置１０１〜１０６は、各ユーザが所有するものであり、また、概ね相互に同様に構成されていることとし、端末装置１０１についてのみ各部を具体的に図示して説明する。また、例えば、情報システム９００に含まれる各端末装置について、相互に区別する必要がない場合には、端末装置１と総称して説明する。診療明細書のフォーマット等については、実際には複数種類存在しているが、ここでは、例えば、図２のフォーマットの診療明細書を読み取る場合を適宜例示して説明する。なお、この図２の例示している文字列は、説明の便宜上のものである。また、本願の読み取りの対象となる診療明細書を説明した後、情報システム９００について説明する。
【００３７】
まず、「診療明細書」とは、医療に関する情報を表示する書面であり、具体的には、図２に示すように、書類名を示す文字列（図２の「診療明細書」）、各欄を示す文字列（図２の「氏名」、「受診日」、「部」、「項目名」、「点数」、「回数」、「領収額」）、及び各欄に対応する情報を示す文字列「図２の「ＡＡ  ＡＡ」、「２０１７年８月３０日」、「基本料」、「内服」、「Ｍａａ」、「１」、「３０００円」、「Ｈａ総合病院」等が記載されている書面である。なお、この図２の「Ｍａａ」が薬剤の名称であることとし、この薬剤の名称が対象情報である場合について説明する。
【００３８】
（構成−情報システム）
図１の情報システム９００は、読取システムを含むシステムであり、例えば、不図示の通信ネットワークを介して相互に通信可能となっている端末装置１、及びサーバ装置２を備える。
【００３９】
（構成−情報システム−端末装置）
端末装置１は、情報システム９００の各ユーザによって利用されるユーザ端末である。この端末装置１の具体的な内容及び構成は任意であるが、例えば、公知のスマートフォン、又は、タブレット端末等を用いることができ、一例としては、通信部１１、タッチパッド１２、ディスプレイ１３、撮像部１４、記録部１５、及び制御部１６を備える。
【００４０】
（構成−情報システム−端末装置−通信部）
通信部１１は、ネットワークを介して外部装置（例えば、サーバ装置２等）との間で通信するための通信手段である。この通信部１１の具体的な種類や構成は任意であるが、例えば、公知の通信回路等を用いて構成することができる。
【００４１】
（構成−情報システム−端末装置−タッチパッド）
タッチパッド１２は、ユーザの指等で押圧されることにより、当該ユーザから各種操作入力を受け付ける操作手段である。このタッチパッド１２の具体的な構成は任意であるが、例えば、抵抗膜方式や静電容量方式等による操作位置検出手段を備えた公知のものを用いることができる。
【００４２】
（構成−情報システム−端末装置−ディスプレイ）
ディスプレイ１３は、制御部１６の制御に基づいて各種の画像を表示する表示手段である。このディスプレイ１３の具体的な構成は任意であるが、例えば、公知の液晶ディスプレイや有機ＥＬディスプレイの如きフラットパネルディスプレイ等を用いることができる。なお、上記のタッチパッド１２とディスプレイ１３と相互に重畳させてタッチパネルとして一体形成しても構わない。
【００４３】
（構成−情報システム−端末装置−撮像部）
撮像部１４は、画像を撮像する撮像手段である。この撮像部１４の具体的な種類や構成は任意であるが、例えば、公知のイメージセンサ等を備えるカメラを用いて構成することができる。
【００４４】
（構成−情報システム−端末装置−記録部）
記録部１５は、端末装置１の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる（他の装置の記録部も同様とする）。
【００４５】
また、この記録部１５には、例えば、端末装置１を一意に識別するための情報である端末識別情報（以下、識別情報を「ＩＤ」と称する）が記録されている。
【００４６】
（構成−情報システム−端末装置−制御部）
制御部１６は、端末装置１を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである（他の装置の制御部も同様とする）。特に、実施の形態に係るプログラムは、任意の記録媒体又はネットワークを介して端末装置１にインストールされることで、制御部１６の各部を実質的に構成する（他の装置の制御部も同様とする）。なお、この制御部１６の各部により行われる処理については、後述する。
【００４７】
（構成−情報システム−サーバ装置）
サーバ装置２は、読取システムであり、例えば、通信部２１、記録部２２、及び制御部２３を備える。
【００４８】
（構成−情報システム−サーバ装置−通信部）
通信部２１は、ネットワークを介して外部装置（例えば、端末装置１等）との間で通信するための通信手段である。この通信部２１の具体的な種類や構成は任意であるが、例えば、端末装置１の通信部１１と同様にして構成することができる。
【００４９】
（構成−情報システム−サーバ装置−記録部）
記録部２２は、サーバ装置２の動作に必要なプログラム及び各種のデータを記録する記録手段であり、例えば、全体候補情報ＤＢ２２１、個人候補情報ＤＢ２２２、及び病名候補情報ＤＢ２２３を備える。
【００５０】
（構成−情報システム−サーバ装置−記録部−全体候補情報ＤＢ）
全体候補情報ＤＢ２２１は、全体候補情報を格納する全体候補情報格納手段である。図３は、全体候補情報を例示した図である。「全体候補情報」とは、複数の候補情報を特定する情報であり、例えば、図３に示すように、項目「全体関連薬剤候補情報ＩＤ」、及び項目「全体関連薬剤候補情報」と、各項目に対応する情報とが相互に関連付けられている情報である。項目「全体関連薬剤候補情報ＩＤ」に対応する情報は、全体関連薬剤候補情報を一意に識別する全体関連薬剤候補情報ＩＤである（図３では、「Ｉｄｍ１」等）。項目「全体関連薬剤候補情報」に対応する情報は、候補情報を特定する全体関連薬剤候補情報である（図４では、「Ｍａａ」等）。
【００５１】
そして、このような全体関連薬剤候補情報の具体的な格納手法は任意であるが、例えば、管理者が、図２の診療明細書の「項目名」の欄の薬剤の名称として記載される可能性がある予め定められた薬剤の名称である全体関連薬剤候補情報と、当該各薬剤の名称に対して一意となる全体関連薬剤候補情報ＩＤとを相互に関連付けた情報を生成した上で、不図示の入力手段を介してサーバ装置２に入力することにより、格納されることとしてもよい。あるいは、当該情報が任意のデータサーバに格納されていることとし、当該データサーバにアクセスして受信することにより、格納されることとしてもよい。
【００５２】
（構成−情報システム−サーバ装置−記録部−個人候補情報ＤＢ）
図１の個人候補情報ＤＢ２２２は、個人候補情報を格納する個人候補情報格納手段である。図４は、個人候補情報を例示した図である。「個人候補情報」とは、過去の対象情報を特定する情報を含む情報であり、例えば、図４に示すように、項目「ユーザＩＤ」、項目「ユーザ情報」、項目「日付情報」、項目「個人関連薬剤候補情報ＩＤ」、及び項目「個人関連薬剤候補情報」と、各項目に対応する情報とが相互に関連付けられている情報である。項目「ユーザＩＤ」に対応する情報は、ユーザを一意に識別するユーザＩＤである（図４では、「Ｉｄｕ１」等）。項目「ユーザ情報」に対応する情報は、ユーザを特定するユーザ情報である（図４では、ユーザの氏名であり「ＡＡ  ＡＡ」等）。項目「日付情報」に対応する情報は、日付を特定する日付情報である（図４では、図２の「受診日」欄に対応する情報を特定する情報であり２０１７年０３月１２日を特定する「２０１７０３１２」等）。項目「個人関連薬剤候補情報ＩＤ」に対応する情報は、個人関連薬剤候補情報を一意に識別する個人関連薬剤候補情報ＩＤであり、図３の全体関連薬剤候補情報ＩＤのうちの何れかの情報である（図４では、「Ｉｄｍ１」等）。項目「個人関連薬剤候補情報」に対応する情報は、ユーザが過去に取得して診療明細書の「項目名」の欄に記載されていた薬剤の名称（つまり、過去の対象情報）を特定する個人関連対象情報であり、図３の全体関連薬剤候補情報のうちの何れかの情報である（図４では、「Ｍａａ」等）。そして、このような個人候補情報の具体的な格納手法は任意であるが、後述する読み取り処理を実行することにより、格納される。
【００５３】
（構成−情報システム−サーバ装置−記録部−病名候補情報ＤＢ）
図１の病名候補情報ＤＢ２２３は、病名候補情報を格納する病名候補情報格納手段である。図５は、病名候補情報を例示した図である。「病名候補情報」とは、ユーザの病気を特定する情報を含む情報であり、例えば、図５に示すように、項目「病名ＩＤ」、項目「病名情報」、項目「病名関連薬剤候補情報ＩＤ」、及び項目「病名関連薬剤候補情報」と、各項目に対応する情報とが相互に関連付けられている情報である。項目「病名ＩＤ」に対応する情報は、病名を一意に識別する病名ＩＤである（図５では、「Ｉｄｄ１」等）。項目「病名情報」に対応する情報は、状態情報であり、また、病名（病気）を特定する情報である（図５では、国際疾病分類等の任意の基準に基づく病名であり「肝癌」等）。項目「病名関連薬剤候補情報ＩＤ」に対応する情報は、病名関連薬剤候補情報を一意に識別する病名関連薬剤候補情報ＩＤであり、図３の全体関連薬剤候補情報ＩＤのうちの何れかの情報である（図４では、「Ｉｄｍ１」等）。項目「病名関連薬剤候補情報」に対応する情報は、病名情報が特定する病名の病気を治療するために用いられる薬剤の名称を特定する病名関連薬剤候補情報であり、図３の全体関連薬剤候補情報のうちの何れかの情報である（図４では、「Ｍａａ」等）。
【００５４】
そして、このような病名候補情報の具体的な格納手法は任意であるが、例えば、管理者が、任意の基準（例えば、病気と当該病気を治療するために有効な薬剤との関連性を示す基準等）に基づいて、国際疾病分類等の任意の基準とした病名と当該病名の病気を治療するために用いられる薬剤名とを関連付けた上で、病名と薬剤名とを不図示の入力手段を介してサーバ装置２に入力することにより、格納されることとする。なお、この場合、サーバ装置２の制御部２３は、入力された病名に対して一意となる病名ＩＤを生成し、また、図３の全体候補情報を参照して、入力された薬剤名に対応する全体関連薬剤候補情報ＩＤ、及び全体関連薬剤候補情報を特定した上で、生成した病名ＩＤ、入力された病名を特定する情報、特定した全体関連薬剤候補情報ＩＤ、及び全体関連薬剤候補情報を、図５の病名ＩＤ、病名情報、病名関連薬剤候補情報ＩＤ、及び病名関連薬剤候補情報として格納する。
【００５５】
（構成−情報システム−サーバ装置−制御部）
制御部２３は、サーバ装置２を制御する制御手段であり、例えば、機能概念的に、画像取得部２３１、及び読取部２３２を備える。画像取得部２３１は、対象情報を表示している対象画像を取得する画像取得手段である。読取部２３２は、過去の対象情報又は対象情報に関連する状態を特定する状態情報の少なくとも１個の情報と、全体候補情報ＤＢ２２１が格納する複数の全体関連薬剤候補情報とに基づいて、画像取得部２３１が取得した対象画像が表示している対象情報を読み取る読取手段である。なお、この制御部２３の各部によって実行される具体的な処理については、後述する。
【００５６】
（処理）
次に、このように構成される情報システム９００によって実行される読取処理について説明する。図６は、読取処理のフローチャートである。「読取処理」とは、概略的には、サーバ装置２によって実行される処理であり、具体的には、画像から対象情報を読み取って格納する処理である。この読取処理を実行するタイミングは任意であるが、例えば、ユーザが自己の端末装置１のタッチパッド１２を介する所定操作を行うことにより、読取アプリケーションを起動して自己のユーザＩＤを入力してログインした上で、撮像部１４にて自己の診療明細書を撮像した後に、端末装置１が、撮像した診療明細書の画像及びログイン時に入力されたユーザＩＤを含む信号である明細書画像信号をサーバ装置２に送信し、当該信号をサーバ装置２が受信した場合に起動して、実行を開始することとし、実行が開始された後から説明する。なお、「読取アプリケーション」とは、対象情報を読み取って、読み取った情報を格納するためのアプリケーションである。ここでは、例えば、ユーザである「ＡＡ  ＡＡ」が読取アプリケーションを起動して自己のユーザＩＤである「Ｉｄｕ１」を入力してログインした上で、撮像部１４にて図２の診療明細書を撮像した後に、端末装置１が、撮像した図２の診療明細書の画像及びログイン時に入力されたユーザＩＤである「Ｉｄｕ１」を含む信号である明細書画像信号をサーバ装置２に送信し、当該信号をサーバ装置２が受信して読取処理が起動する場合を適宜例示して説明する。
【００５７】
まず、図６のＳＡ１において画像取得部２３１は、情報を取得する。具体的には任意であるが、例えば、読取処理の起動時に受信した明細書画像信号に含まれるユーザＩＤ及び画像を取得する。ここでは、例えば、「Ｉｄｕ１」及び図２の診療明細書の画像を取得する。なお、ここで取得する画像が「対象画像」に相当し、この画像に表示されている薬剤名である「Ｍａａ」が「対象情報」に相当する。
【００５８】
図６のＳＡ２において読取部２３２は、情報を読み取る。具体的には任意であるが、例えば、ＳＢ１で取得した画像について、表示されている情報を全て読み取る。具体的には、診療明細書のフォーマットが定まっていることに着目して、各情報が記載されている位置等に着目して、各欄と対応付けて読み取る。
【００５９】
具体的には、まず、対象情報（つまり、診療明細書の薬剤名）以外の情報の読取手法は任意であり、例えば、任意の手法で（例えば、光学的文字認識（ＯＣＲ）等の画像認識技術等を用いて画像認識して文字列に変換する手法等）にて画像を文字列に変換し、変換した文字列を読み取る。また、対象情報については、以下の処理を行って読み取る。ここでは、例えば、図２の書類名を示す文字列（「診療明細書」）、各欄を示す文字列（「氏名」、「受診日」、「部」、「項目名」、「点数」、「回数」、「領収額」）、及び各欄に対応する情報を示す文字列（「ＡＡ  ＡＡ」、「２０１７年８月３０日」、「基本料」、「内服」、「１」、「３０００円」、「Ｈａ総合病院」）等を読み取る。
【００６０】
また、対象情報について読み取る処理について具体的には、まず、任意の手法（例えば、光学的文字認識（ＯＣＲ）等の画像認識技術等を用いて画像認識して文字列に変換する手法等）にて、ＳＡ１にて取得した画像における対象情報が表示されている部分を文字列に変換し、変換した文字列と図３の全体関連薬剤候補情報各々との一致の度合いを示す一致度を演算した上で、演算した一致度を、図３の各全体関連薬剤候補情報に対応付けてリスト化してリストを生成する。次に、記録部２２に予め閾値となる一致度である閾値一致度（例えば、９０％等）が記録されていることとし、リスト化した一致度のうちの閾値一致度を超えるものを特定し、特定した一致度に対応する全体関連薬剤候補情報を取得する（以下、これらの処理を「全体関連薬剤候補情報取得処理」とも称する）。なお、ここでの一致度を示す数値（上記の「９０」等）については、一致の度合いが高いもの程大きな数値であり、完全に一致している場合を「１００」で示すものとして、以下説明する。
【００６１】
ここでは、まず、例えば、前述の任意の手法にて、ＳＡ１にて取得した画像における対象情報である「Ｍａａ」が表示されている部分を「Ｍａｘ」文字列に変換（つまり、実際の文字列は「Ｍａａ」であるが一部において任意の手法での変換精度に依存して最後の文字である「ａ」を「ｘ」と変換して「Ｍａｘ」という文字列に変換）する場合について説明する。この場合、変換した文字列である「Ｍａｘ」と図３の全体関連薬剤候補情報各々との一致の度合いを示す一致度として図３の「Ｍａａ」に対する「９３」（単位は％であるが、省略する）、「Ｍａｂ」に対する「９２」、「Ｍａｃ」に対する「９１」、「Ｍａｄ」に対する「６７」、及び「Ｍａｅ」に対する「８０」を演算した上で、演算した一致度を、図３の各全体関連薬剤候補情報に対応付けてリスト化してリストを生成する。なお、ここでの変換した具体的な文字列や一致度については説明の便宜上のものである。次に、記録部２２に記録されている閾値一致度である「９０」を取得し、当該閾値一致度と前述の生成したリストの各一致度とを相互に比較して、リスト化した一致度のうちの閾値一致度である「９０」を超えるものとして「９３」、「９２」、及び「９１」を特定し、特定した一致度に対応する全体関連薬剤候補情報として「Ｍａａ」、「Ｍａｂ」、及び「Ｍａｃ」を取得する。
【００６２】
次に、取得した全体関連薬剤候補情報が１個のみである場合、当該１個のみの全体関連薬剤候補情報を選択して、選択した全体関連薬剤候補情報が対象情報であることと決定した上で、決定した全体関連薬剤候補情報を対象情報として読み取る。
【００６３】
また、取得した全体関連薬剤候補情報が２個以上（つまり、複数個）である場合、後述する第１の選択手法及び第２の選択手法の何れか又は両方に基づいて、２個以上の全体関連薬剤候補情報から１個のみの全体関連薬剤候補情報を選択して、選択した全体関連薬剤候補情報が対象情報であることと決定した上で、決定した全体関連薬剤候補情報を対象情報として読み取る。
【００６４】
「第１の選択手法」とは、複数の全体関連薬剤候補情報から少なくとも１個の全体関連薬剤候補情報を選択する手法であり、例えば、図４の個人候補情報に基づいて選択する手法である。第１の選択手法を用いて選択する場合、ＳＡ１で取得したユーザＩＤを取得し、図４の個人候補情報において、当該取得したユーザＩＤに対応する個人関連薬剤候補情報を取得し、前述の複数の全体関連薬剤候補情報のうちの個人関連薬剤候補情報と一致する全体関連薬剤候補情報を特定し、特定した全体関連薬剤候補情報を選択する。
【００６５】
「第２の選択手法」とは、複数の全体関連薬剤候補情報から少なくとも１個の全体関連薬剤候補情報を選択する手法であり、例えば、図５の病名候補情報に基づいて選択する手法である。第２の選択手法を用いて選択する場合、読取部２３２は、まず、ＳＡ１で取得したユーザＩＤを取得し、図４の個人候補情報において、当該取得したユーザＩＤに対応する個人関連薬剤候補情報を取得し、取得した個人関連薬剤候補情報に基づいて、ユーザが患っている可能性がある１個以上の病名を以下の手法で推定し、図５の病名候補情報において、推定した病名に対する病名関連薬剤候補情報を取得し、前述の複数の全体関連薬剤候補情報のうちの病名関連薬剤候補情報と一致する全体関連薬剤候補情報を特定し、特定した全体関連薬剤候補情報を選択する。
【００６６】
なお、病名を推定する手法については、例えば、国際疾病分類等の任意の基準とした病名と当該病名の病気を治療するために用いられる薬剤名とを相互に関連付けた情報である病名薬剤関連情報（一例としては、病名である「肝癌」に対する３個の薬剤名「Ｍａａ」、「Ｍｚａ」、及び「Ｍｔｇ」、病名である「１型糖尿病性腎症第１期」に対する２個の薬剤名「Ｍａｂ」及び「Ｍｃｔ」等を特定する情報）が記録部２２に記録されていることとし、この病名薬剤関連情報と、前述の取得した個人関連薬剤候補情報とに基づいて、ユーザが患っている可能性がある１個以上の病名を推定する手法を用いることができる。
【００６７】
ここでの病名の具体的な推定については、例えば、病名薬剤関連情報において、前述の取得した個人関連薬剤候補情報の薬剤名と当該薬剤名に対応する病名とが相互に１対１で関連付けられている場合、取得した個人関連薬剤候補情報の薬剤名に関連付けられている病名を、ユーザの病名として推定する（つまり、前述の取得した個人関連薬剤候補情報において、病名薬剤関連情報にて病名と（１個又は複数個の）薬剤名とが相互に一意に対応付けられている情報が存在する場合、当該１対１となっている病名を推定する）。また、例えば、病名薬剤関連情報において、前述の取得した個人関連薬剤候補情報のうちの複数の薬剤名が、１個以上の特定の病名に関連付けられている場合、当該１個以上の特定の病名を、ユーザの病名として推定する。なお、例えば、病名薬剤関連情報において、前述の取得した個人関連薬剤候補情報の各々の薬剤名が、相互に異なる病名に関連付けられており且つ当該病名について１対１で関連付けられているわけではない場合、病名の推定が困難となるので、この場合、第１の選択手法のみでの選択を行う。
【００６８】
そして、前述の取得した２個以上の全体関連薬剤候補情報から１個のみの全体関連薬剤候補情報を選択する具体的な手法は任意であるが、まず、第１の選択手法で全体関連薬剤候補情報を選択し、選択した全体関連薬剤候補情報が１個のみである場合、当該１個のみの全体関連薬剤候補情報を選択する。
【００６９】
また、第１の選択手法で選択した全体関連薬剤候補情報が２個以上存在する場合、第２の選択手法で全体関連薬剤候補情報を選択する処理を行い、選択した全体関連薬剤候補情報が１個のみである場合、当該１個のみの全体関連薬剤候補情報を選択する。また、第２の選択手法で選択した全体関連薬剤候補情報が２個以上存在する場合、当該第２の選択手法で選択した２個以上の全体関連薬剤候補情報から、任意の手法（例えば、前述の一致度が最大のものを選択する手法等）で１個のみの全体関連薬剤候補情報を選択する。また、第２の選択手法で前述のように病名の推定が困難な場合、第１の選択手法で選択した２個以上の全体関連薬剤候補情報から、任意の手法（例えば、前述の一致度が最大のものを選択する手法等）で１個のみの全体関連薬剤候補情報を選択する。
【００７０】
ここでは、例えば、前述のように「Ｍａａ」、「Ｍａｂ」、及び「Ｍａｃ」を取得した場合、取得した全体関連薬剤候補情報が２個以上（つまり、複数個）であるので、まず、第１の選択手法で全体関連薬剤候補情報を選択する。具体的には、ＳＡ１で取得したユーザＩＤである「Ｉｄｕ１」を取得し、図４の個人候補情報において、当該取得したユーザＩＤである「Ｉｄｕ１」に対応する個人関連薬剤候補情報である「Ｍａａ」、「Ｍｚａ」、及び「Ｍａｂ」を取得し、前述の複数の全体関連薬剤候補情報のうちの個人関連薬剤候補情報と一致する全体関連薬剤候補情報である「Ｍａａ」及び「Ｍａｂ」を特定する。
【００７１】
次に、特定した全体関連薬剤候補情報が２個以上であるので、次に、第２の選択手法で全体関連薬剤候補情報を選択する。具体的には、ＳＡ１で取得したユーザＩＤである「Ｉｄｕ１」を取得し、図４の個人候補情報において、当該取得したユーザＩＤである「Ｉｄｕ１」に対応する個人関連薬剤候補情報である「Ｍａａ」、「Ｍｚａ」、及び「Ｍａｂ」を取得し、取得した個人関連薬剤候補情報である「Ｍａａ」、「Ｍｚａ」、及び「Ｍａｂ」に基づいて、ユーザが患っている可能性がある１個以上の病名を推定する。詳細には、記録部２２に記録されている病名薬剤関連情報（一例としては、病名である「肝癌」に対する３個の薬剤名「Ｍａａ」、「Ｍｚａ」、及び「Ｍｔｇ」、病名である「１型糖尿病性腎症第１期」に対する２個の薬剤名「Ｍａｂ」及び「Ｍｃｔ」等を特定する情報）を取得し、前述の取得した２個の個人関連薬剤候補情報である「Ｍａａ」及び「Ｍｚａ」が「肝癌」に関連付けられているので、ユーザの病名として「肝癌」を推定する。なお、前述の取得した個人関連薬剤候補情報である「Ｍａｂ」は「１型糖尿病性腎症第１期」に関連付けられているものの１対１ではないので、「１型糖尿病性腎症第１期」について推定しないことになる。次に、図５の病名候補情報において、推定した病名である「肝癌」に対する病名関連薬剤候補情報である「Ｍａａ」を取得し、前述の複数の全体関連薬剤候補情報である「Ｍａａ」及び「Ｍａｂ」のうちの病名関連薬剤候補情報である「Ｍａａ」と一致する全体関連薬剤候補情報である「Ｍａａ」を特定して選択する。そして、選択した全体関連薬剤候補情報である「Ｍａａ」が対象情報であることと決定した上で、決定した全体関連薬剤候補情報「Ｍａａ」を対象情報として読み取る。このように処理することにより、光学的文字認識（ＯＣＲ）等の画像認識技術では「Ｍａｘ」と一部誤って認識していた文字列について、「Ｍａａ」と正しく認識して読み取ることが可能となる。
【００７２】
図６のＳＡ３において読取部２３２は、読取情報を格納する。「読取情報」とは、読取部２３２で読み取られた情報であり、例えば、診療明細書に記載されている文字列を特定する情報である。具体的には任意であるが、例えば、ＳＡ１で受信した明細書画像信号に含まれているユーザＩＤを取得し、また、ＳＡ２で読み取った情報（つまり、対象情報及び対象情報以外の情報）を取得した上で、取得した各情報を相互に関連付けて、記録部２２に読取情報（図１では不図示）として格納する。
【００７３】
ここでは、例えば、ＳＡ１で受信した明細書画像信号に含まれているユーザＩＤである「Ｉｄｕ１」を取得し、また、ＳＡ２で読み取った情報（つまり、書類名を示す文字列（図２の「診療明細書」）、各欄を示す文字列（図２の「氏名」、「受診日」、「部」、「項目名」、「点数」、「回数」、「領収額」）、及び各欄に対応する情報を示す文字列「図２の「ＡＡ  ＡＡ」、「２０１７年８月３０日」、「基本料」、「内服」、「Ｍａａ」、「１」、「３０００円」、「Ｈａ総合病院」等）を取得した上で、取得した各情報を相互に関連付けて、記録部２２に読取情報として格納する。なお、ここでは、各欄を示す文字列を基準にして、各欄に対応する情報を示す文字列を格納することにより、読取情報に基づいて図２の診療明細書の内容を確認できるように格納することとする。
【００７４】
図６のＳＡ４において読取部２３２は、個人候補情報を格納する。具体的には任意であるが、例えば、まず、ＳＡ１で受信した明細書画像信号に含まれているユーザＩＤを取得し、また、ＳＡ２で読み取った「氏名」の欄に対応する情報、「受診日」の欄に対応する情報、「項目名」の欄に対応する薬剤の名称の情報（つまり、対象情報）を取得する。次に、図３の全体候補情報を参照して、前述の取得した「項目名」の欄に対応する薬剤の名称の情報に対応する全体関連薬剤候補情報ＩＤを取得する。そして、前述の取得したユーザＩＤを図４の「ユーザＩＤ」として格納し、また、前述の取得した「氏名」の欄に対応する情報を図４の「ユーザ情報」として格納し、また、「受診日」の欄に対応する情報を図４の「日付情報」として格納し、また、前述の取得した全体関連薬剤候補情報ＩＤを図４の「個人関連薬剤候補情報ＩＤ」として格納し、また、前述の取得した「項目名」の欄に対応する薬剤の名称の情報を「個人関連薬剤候補情報」として格納することにより、個人候補情報を格納する。
【００７５】
ここでは、例えば、ＳＡ１で受信した明細書画像信号に含まれているユーザＩＤである「Ｉｄｕ１」を取得し、また、ＳＡ２で読み取った「氏名」の欄に対応する情報である「ＡＡ  ＡＡ」、「受診日」の欄に対応する情報である「２０１７年８月３０日」、「項目名」の欄に対応する薬剤の名称の情報（つまり、対象情報）である「Ｍａａ」を取得する。次に、図３の全体候補情報を参照して、前述の取得した「項目名」の欄に対応する薬剤の名称の情報）である「Ｍａａ」に対応する全体関連薬剤候補情報ＩＤとして「Ｉｄｍ１」を取得する。そして、前述の取得したユーザＩＤである「Ｉｄｕ１」を図４の「ユーザＩＤ」として格納し、また、前述の取得した「氏名」の欄に対応する情報である「ＡＡ  ＡＡ」を図４の「ユーザ情報」として格納し、また、前述の「受診日」の欄に対応する情報である「２０１７０８３０」を図４の「日付情報」として格納し、また、前述の取得した全体関連薬剤候補情報ＩＤである「Ｉｄｍ」を図４の「個人関連薬剤候補情報ＩＤ」として格納し、また、前述の取得した「項目名」の欄に対応する薬剤の名称の情報である「Ｍａａ」を「個人関連薬剤候補情報」として格納することにより、個人候補情報を格納する。これにて、読取処理を終了する。
【００７６】
（情報の利用）
そして、前述の読取処理で記録部２２に格納した不図示の読取情報については、任意に利用することができる。例えば、端末装置１を操作するユーザが自己のユーザＩＤを含む情報出力要求をサーバ装置２に対して送信し、送信された情報出力要求をサーバ装置２の制御部２３が受信した場合に、当該情報出力要求に含まれているユーザＩＤを基準にして、記録部２２に記録されている読取情報における当該ユーザＩＤに対応する情報を取得し、所定のフォーマットにて端末装置１側に送信して出力することとし、このように処理することにより、端末装置１のユーザ側で利用することが可能となる。
【００７７】
（実施の形態の効果）
このように本実施の形態によれば、過去の対象情報、又は対象情報に関連する状態を特定する状態情報のうちの少なくとも１個の情報と、全体候補情報ＤＢ２２１が格納する図３の全体関連薬剤候補情報（複数の候補情報）とに基づいて、画像取得部２３１が取得した対象画像が表示している対象情報を読み取ることにより、例えば、複数の候補情報を適切に用いて対象情報を読み取ることができるので、対象情報の読み取り精度を向上させることが可能となる。
【００７８】
また、対象画像が表示している対象情報と、全体候補情報ＤＢ２２１が格納する図３の全体関連薬剤候補情報との一致度、及び過去の対象情報、及び状態情報のうちの少なくとも１個の情報に基づいて、全体候補情報ＤＢ２２１が格納する図３の全体関連薬剤候補情報（複数の候補情報）のうちの１個の候補情報を選択し、選択した１個の候補情報を、対象画像が表示している対象情報として読み取ることにより、例えば、候補情報を適切に１個に絞ることができるので、対象情報の読み取り精度を向上させることが可能となる。
【００７９】
また、過去の対象情報、及び状態情報を順次用いて、全体候補情報ＤＢ２２１が格納する図３の全体関連薬剤候補情報（複数の候補情報）のうちの１個の候補情報を選択することにより、例えば、候補情報をより適切に１個に絞ることができるので、対象情報の読み取り精度を向上させることが可能となる。
【００８０】
また、過去の対象情報に基づいて状態情報を推定し、推定した状態情報と、全体候補情報ＤＢ２２１が格納する図３の全体関連薬剤候補情報（複数の候補情報）とに基づいて、対象画像が表示している対象情報を読み取ることにより、例えば、状態情報を反映して対象情報を読み取ることができるので、対象情報の読み取り精度を向上させることが可能となる。
【００８１】
また、ユーザの過去の対象情報に基づいて当該ユーザの状態を特定する状態情報を推定し、少なくとも推定した状態情報と、全体候補情報ＤＢ２２１が格納する図３の全体関連薬剤候補情報（複数の候補情報）とに基づいて、対象画像が表示している対象情報を読み取ることにより、例えば、ユーザの状態情報を反映して対象情報を読み取ることができるので、対象情報の読み取り精度を向上させることが可能となる。
【００８２】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８３】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００８４】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。
【００８５】
（格納される情報の修正について）
また、上記実施の形態の図６のＳＡ３で格納した読取情報、及びＳＡ４で格納した個人候補情報について、任意のタイミングで管理者が修正するように構成してもよい。例えば、図６のＳＡ１で取得した画像を記録部２２に蓄積し、管理者が任意の手法で検索できるように構成した上で、当該管理者が当該画像と当該画像に対応する読取情報及び個人候補情報とを相互に目視で比較して、読取情報及び個人候補情報が正しいか否かを判断し、判断結果に応じて不図示の入力手段を介して各情報を正しく修正するための情報を入力し、サーバ装置２の制御部２３が、当該修正するための情報を受け付けた場合に、当該修正の内容を反映するために、読取情報及び個人候補情報を更新するように構成してもよい。
【００８６】
（対象処理以外の読み取りについて）
また、上記実施の形態の図６のＳＡ２では、対象情報以外の情報については、例えば、光学的文字認識（ＯＣＲ）等の画像認識技術等を用いて画像認識して文字列に変換する手法等を用いて読み取るものと説明したが、これに限らない。例えば、記載される文字列の候補が予め予測される情報（例えば、図２の書類名を示す文字列（「診療明細書」）、各欄を示す文字列（「氏名」、「受診日」、「部」、「項目名」、「点数」、「回数」、「領収額」、「Ｈａ総合病院」等）については、複数の候補情報を記録部２２に記録しておき、これらの候補情報と光学的文字認識（ＯＣＲ）等の画像認識技術等を用いて行った画像認識によって変換された文字列との一致度を演算し、演算した一致度が最大となる候補情報を読み取るように構成してもよい。
【００８７】
（選択手法について（その１））
また、上記実施の形態の図６のＳＡ２では、第１の選択手法及び第２の選択手法を用いて、２個以上の全体関連薬剤候補情報から１個のみの全体関連薬剤候補情報を選択する場合について説明したが、これに限らない。例えば、第１の選択手法のみ、あるいは、第２の選択手法のみを用いて選択するように構成してもよい。また、例えば、第２の選択手法で選択した後に適宜第１の選択手法で選択するように構成してもよい。また、例えば、新たなユーザが読取処理を実行する場合、図４の個人候補情報に当該新たなユーザに対応する情報が格納されていないことが考えられるので、この場合、２個以上の全体関連薬剤候補情報から、一致度が最大のものを選択するように構成してもよい。
【００８８】
（選択手法について（その２））
また、上記実施の形態の図６のＳＡ２では、対象情報について読み取る場合に前述の「全体関連薬剤候補情報取得処理」を行って、取得した全体関連薬剤候補情報が２個以上（つまり、複数個）である場合、過去の対象情報（第１の選択手法）、及び状態情報（第２の選択手法）を用いて、２個以上の全体関連薬剤候補情報から１個のみの全体関連薬剤候補情報を選択する場合について説明したが、これに限らない。例えば、第１又は第２の選択手法と共に、あるいは、第１又は第２の手法の代わりに、第３又は第４の選択手法を用いて選択するように構成してもよい。
【００８９】
（選択手法について（その２）−第３の選択手法）
「第３の選択手法」とは、複数の全体関連薬剤候補情報から少なくとも１個の全体関連薬剤候補情報を選択する手法であり、具体的には、前述の他の情報を用いて選択する手法であり、例えば、病院候補情報を記録部２２に格納しておき、当該病院候補情報を利用して選択する手法である。図７は、病院候補情報を例示した図である。「病院候補情報」とは、前述の他の情報を特定する情報であり、図７に示すように、例えば、項目「病院情報」、項目「病院関連薬剤候補情報ＩＤ」、及び項目「病院関連薬剤候補情報」と、各項目に対応する情報とを相互に関連付けている情報である。項目「病院情報」に対応する情報は、前述の他の情報であり、具体的には、病院を特定する病院情報である（図７では、病院名であり「Ｈａ総合病院」等）。項目「病院関連薬剤候補情報ＩＤ」に対応する情報は、病院関連薬剤候補情報を一意に識別する病院関連薬剤候補情報ＩＤであり、図３の全体関連薬剤候補情報ＩＤのうちの何れかの情報である（図７では、「Ｉｄｍ１」等）。項目「病院関連薬剤候補情報」に対応する情報は、病院情報が特定する病院で処方される候補となる薬剤の名称を特定する病院関連薬剤候補情報であり、図３の全体関連薬剤候補情報のうちの何れかの情報である（図７では、「Ｍａａ」等）。
【００９０】
そして、このような病院候補情報の具体的な格納手法は任意であるが、例えば、管理者が、各病院で過去に処方された実績がある薬剤名を特定したり、あるいは、各病院での診療方針に応じて各病院で処方される可能性がある薬剤名を特定したりした上で、各病院名と当該病院に対応する薬剤名を不図示の入力手段を介してサーバ装置２に入力することにより、格納されることとする。なお、この場合、サーバ装置２の制御部２３は、図３の全体候補情報を参照して、入力された薬剤名に対応する全体関連薬剤候補情報ＩＤ、及び全体関連薬剤候補情報を特定した上で、入力された病院名、特定した全体関連薬剤候補情報ＩＤ、及び全体関連薬剤候補情報を、図７の病院情報、病院関連薬剤候補情報ＩＤ、及び病院関連薬剤候補情報として格納する。
【００９１】
この第３の選択手法を用いて選択する場合、読取部２３２は、まず、前述の対象情報（つまり、診療明細書の薬剤名）以外の情報を読み取る処理で読み取られた病院名を特定する情報を取得し、図７の病院候補情報において、当該病院名に対応する病院関連薬剤候補情報を取得し、前述の複数の全体関連薬剤候補情報のうちの病院関連薬剤候補情報と一致する全体関連薬剤候補情報を特定し、特定した全体関連薬剤候補情報を選択する。
【００９２】
ここでは、例えば、まず、前述の対象情報（つまり、診療明細書の薬剤名）以外の情報を読み取る処理で読み取られた病院名である図２の「Ｈａ総合病院」を特定する情報を取得し、図７の病院候補情報において、当該病院名である「Ｈａ総合病院」に対応する病院関連薬剤候補情報である「Ｍａａ」及び「Ｍｚａ」等を取得し、前述の複数の全体関連薬剤候補情報である「Ｍａａ」、「Ｍａｂ」、及び「Ｍａｃ」のうちの病院関連薬剤候補情報と一致する全体関連薬剤候補情報である「Ｍａａ」を特定し、特定した全体関連薬剤候補情報である「Ｍａａ」を選択する。
【００９３】
（選択手法について（その２）−第４の選択手法）
「第４の選択手法」とは、複数の全体関連薬剤候補情報から少なくとも１個の全体関連薬剤候補情報を選択する手法であり、具体的には、前述のロジック情報を用いて選択する手法であり、例えば、治療ステージ候補情報を記録部２２に格納しておき、当該治療ステージ候補情報を利用して選択する手法である。図８は、治療ステージ候補情報を例示した図である。「治療ステージ候補情報」とは、前述のロジック情報を特定する情報であり、図８に示すように、例えば、項目「病名情報」、項目「治療ステージ情報」、項目「治療ステージ関連薬剤候補情報ＩＤ」、及び項目「治療ステージ関連薬剤候補情報」と、各項目に対応する情報とを相互に関連付けている情報である。項目「病名情報」に対応する情報は、図５の同一名称の情報と同様である。項目「治療ステージ情報」に対応する情報は、ロジック情報であり、具体的には、順次行われる複数段階の治療のうちの各段階を特定する治療ステージ情報である（図８では、３段階の治療の内の１〜３番目の段階を特定する「第１期」〜「第３期」等）。項目「治療ステージ関連薬剤候補情報ＩＤ」に対応する情報は、治療ステージ関連薬剤候補情報を一意に識別する治療ステージ関連薬剤候補情報ＩＤであり、図３の全体関連薬剤候補情報ＩＤのうちの何れかの情報である（図７では、「Ｉｄｍ２０１」（図３では不図示）等）。項目「治療ステージ関連薬剤候補情報」に対応する情報は、病名情報が特定する病名の病気を治療するために用いられる薬剤であって、治療ステージ情報が特定する治療の段階で処方される薬剤の名称を特定する治療ステージ関連薬剤候補情報であり、図３の全体関連薬剤候補情報のうちの何れかの情報である（図７では、「Ｍｚｙ」（図３では不図示）等）。そして、このような治療ステージ候補情報の具体的な格納手法は任意であるが、例えば、図５の病名候補情報を格納する手法と同様な手法を用いて格納される。
【００９４】
この第４の選択手法を用いて選択する場合、読取部２３２は、まず、第２の選択手法の場合と同様な処理を行って、ユーザが患っている可能性がある１個以上の病名を推定し、また、図８の治療ステージ候補情報において、推定した病名に対応する治療ステージ関連薬剤候補情報を特定する。次に、ＳＡ１で取得したユーザＩＤに関連付けられている図４の個人候補情報の日付情報及び個人関連薬剤候補情報を参照して、前述の特定した図８の治療ステージ関連薬剤候補情報のうちの、日付情報がより新しい（つまり、現在の日付により近い）個人関連薬剤候補情報と一致する治療ステージ関連薬剤候補情報を特定し、この特定した治療ステージ関連薬剤候補情報に対応する治療ステージ情報が特定する段階を直近の治療段階であるものと特定する。次に、図８の治療ステージ候補情報を参照して当該特定した直近の治療段階の次の治療段階を今回の治療段階であるものと推定した上で、推定した治療段階に対応する治療ステージ関連薬剤候補情報を取得し、前述の複数の全体関連薬剤候補情報のうちの当該取得した治療ステージ関連薬剤候補情報と一致する全体関連薬剤候補情報を特定し、特定した全体関連薬剤候補情報を選択する。
【００９５】
なお、図４の治療ステージ候補情報を参照して当該特定した直近の治療段階の次の治療段階を今回の治療段階であるものと推定するものと説明したが、例えば、直近の治療段階が最終の治療段階である場合（例えば、図８の「第３期」等）、次の治療段階が無いので、当該直近の治療段階と同じ治療段階を今回の治療段階であるものと推定してもよいし、あるいは、第４の選択手法の適用を取りやめて、第１〜第３の選択手法を適用するように構成してもよい。
【００９６】
ここでは、例えば、まず、第２の選択手法の場合と同様な処理を行って、ユーザが患っている可能性がある１個以上の病名として「肝癌」を推定し、また、図８の治療ステージ候補情報において、推定した病名であるに対応する治療ステージ関連薬剤候補情報として「Ｍｚｙ」、「Ｍｃｚ」、「Ｍａａ」、及び「Ｍｚａ」等を特定する。次に、ＳＡ１で取得したユーザＩＤである「Ｉｄｕ１」に関連付けられている図４の個人候補情報の日付情報及び個人関連薬剤候補情報を参照して、前述の特定した図８の治療ステージ関連薬剤候補情報である「Ｍｚｙ」、「Ｍｃｚ」、「Ｍａａ」、及び「Ｍｚａ」等うちの、日付情報がより新しい（つまり、現在の日付により近い）個人関連薬剤候補情報と一致する治療ステージ関連薬剤候補情報として、「日付情報」＝「２０１７０３１２」に対応する治療ステージ関連薬剤候補情報である「Ｍａａ」及び「Ｍｚａ」を特定し、この特定した治療ステージ関連薬剤候補情報である「Ｍａａ」及び「Ｍｚａ」に対応する治療ステージ情報である図８の「第３期」が特定する段階を直近の治療段階であるものと特定する。次に、図８の治療ステージ候補情報を参照して、基本的には当該特定した直近の治療段階の次の治療段階を今回の治療段階として推定するが、ここでは、直近の治療段階が最終の治療段階であるので、前述のように、当該治療段階と同じ治療段階である「第３期」を今回の治療段階であるものと推定した上で、推定した治療段階である「第３期」に対応する治療ステージ関連薬剤候補情報である「Ｍａａ」及び「Ｍｚａ」等を取得し、前述の複数の全体関連薬剤候補情報である「Ｍａａ」、「Ｍａｂ」、及び「Ｍａｃ」のうちの当該取得した治療ステージ関連薬剤候補情報と一致する全体関連薬剤候補情報である「Ｍａａ」を特定し、特定した全体関連薬剤候補情報である「Ｍａａ」を選択する。
【００９７】
（その他について）
また、上記実施の形態の図５の病名候補情報については、入力手段を介してサーバ装置２に入力することにより、格納される場合について説明したが、これに限らない。例えば、図６のＳＡ２において読み取った対象情報において、第２の選択手法で説明した場合と同様にして、病名を推定し、推定した病名と当該読み取った対象情報とを相互に関連付けて、病名候補情報として格納するように構成してもよい。
【００９８】
（特徴について）
また、上記実施の形態の特徴及び変形例の特徴を任意に組合わせてもよい。
【００９９】
（付記）
付記１の読取システムは、対象情報を読み取る読取システムであって、前記読取システムにて読み取られ得る候補である複数の候補情報を格納する候補情報格納手段と、前記対象情報を表示している対象画像を取得する画像取得手段と、過去の前記対象情報、前記対象情報に関連する状態を特定する状態情報、前記画像取得手段が取得した前記対象画像が表示している前記対象情報以外の他の情報、又は前記対象情報に関して予め定められているロジックを特定するロジック情報のうちの少なくとも１個の情報と、前記候補情報格納手段が格納する前記複数の候補情報とに基づいて、前記画像取得手段が取得した前記対象画像が表示している前記対象情報を読み取る読取手段と、を備える。
【０１００】
付記２の読取システムは、付記１に記載の読取システムにおいて、前記読取手段は、前記画像取得手段が取得した前記対象画像が表示している前記対象情報と、前記候補情報格納手段が格納する前記複数の候補情報との一致度、及び前記少なくとも１個の情報に基づいて、前記候補情報格納手段が格納する前記複数の候補情報のうちの１個の候補情報を選択し、選択した１個の候補情報を、前記画像取得手段が取得した前記対象画像が表示している前記対象情報として読み取る。
【０１０１】
付記３の読取システムは、付記２に記載の読取システムにおいて、前記読取手段は、過去の前記対象情報、前記状態情報、前記他の情報、又は前記ロジック情報のうちの２個以上の情報を順次用いて、前記候補情報格納手段が格納する前記複数の候補情報のうちの１個の候補情報を選択する。
【０１０２】
付記４の読取システムは、付記１から３の何れか一項に記載の読取システムにおいて、前記読取手段は、過去の前記対象情報に基づいて前記状態情報を推定し、推定した前記状態情報と、前記候補情報格納手段が格納する前記複数の候補情報とに基づいて、前記画像取得手段が取得した前記対象画像が表示している前記対象情報を読み取る。
【０１０３】
付記５の読取システムは、付記４に記載の読取システムにおいて、前記状態情報は、前記画像取得手段が取得した前記対象画像が表示している前記対象情報に関連するユーザの状態を特定する情報を含み、前記読取手段は、前記ユーザの過去の前記対象情報に基づいて当該ユーザの状態を特定する前記状態情報を推定し、少なくとも推定した前記状態情報と、前記候補情報格納手段が格納する前記複数の候補情報とに基づいて、前記画像取得手段が取得した前記対象画像が表示している前記対象情報を読み取る。
【０１０４】
付記６の読取システムは、付記１から５の何れか一項に記載の読取システムにおいて、前記対象情報は、医療に関する情報である。
【０１０５】
付記７の読取プログラムは、対象情報を読取システムで読み取る読取プログラムであって、コンピュータを、前記対象情報を表示している対象画像を取得する画像取得手段と、過去の前記対象情報、前記対象情報に関連する状態を特定する状態情報、前記画像取得手段が取得した前記対象画像が表示している前記対象情報以外の他の情報、又は前記対象情報に関して予め定められているロジックを特定するロジック情報のうちの少なくとも１個の情報と、前記読取システムにて読み取られ得る候補である複数の候補情報を格納する候補情報格納手段が格納する前記複数の候補情報とに基づいて、前記画像取得手段が取得した前記対象画像が表示している前記対象情報を読み取る読取手段と、として機能させる。
【０１０６】
（付記の効果）
付記１に記載の読取システム、及び付記７に記載の読取プログラムによれば、過去の対象情報、対象情報に関連する状態を特定する状態情報、画像取得手段が取得した対象画像が表示している対象情報以外の他の情報、又は対象情報に関して予め定められているロジックを特定するロジック情報のうちの少なくとも１個の情報と、候補情報格納手段が格納する複数の候補情報とに基づいて、画像取得手段が取得した対象画像が表示している対象情報を読み取ることにより、例えば、複数の候補情報を適切に用いて対象情報を読み取ることができるので、対象情報の読み取り精度を向上させることが可能となる。
【０１０７】
付記２に記載の読取システムによれば、対象画像が表示している対象情報と、候補情報格納手段が格納する複数の候補情報との一致度、及び過去の対象情報、状態情報、他の情報、又はロジック情報のうちの少なくとも１個の情報に基づいて、候補情報格納手段が格納する複数の候補情報のうちの１個の候補情報を選択し、選択した１個の候補情報を、対象画像が表示している対象情報として読み取ることにより、例えば、候補情報を適切に１個に絞ることができるので、対象情報の読み取り精度を向上させることが可能となる。
【０１０８】
付記３に記載の読取システムによれば、過去の対象情報、状態情報、他の情報、又はロジック情報のうちの２個以上の情報を順次用いて、候補情報格納手段が格納する複数の候補情報のうちの１個の候補情報を選択することにより、例えば、候補情報をより適切に１個に絞ることができるので、対象情報の読み取り精度を向上させることが可能となる。
【０１０９】
付記４に記載の読取システムによれば、過去の対象情報に基づいて状態情報を推定し、推定した状態情報と、候補情報格納手段が格納する複数の候補情報とに基づいて、対象画像が表示している対象情報を読み取ることにより、例えば、状態情報を反映して対象情報を読み取ることができるので、対象情報の読み取り精度を向上させることが可能となる。
【０１１０】
付記５に記載の読取システムによれば、ユーザの過去の対象情報に基づいて当該ユーザの状態を特定する状態情報を推定し、少なくとも推定した状態情報と、候補情報格納手段が格納する複数の候補情報とに基づいて、対象画像が表示している対象情報を読み取ることにより、例えば、ユーザの状態情報を反映して対象情報を読み取ることができるので、対象情報の読み取り精度を向上させることが可能となる。
【０１１１】
付記６に記載の読取システムによれば、対象情報は医療に関する情報であることにより、例えば、医療に関する情報の読み取り精度を向上させることが可能となる。
【符号の説明】
【０１１２】
１  端末装置
２  サーバ装置
１１  通信部
１２  タッチパッド
１３  ディスプレイ
１４  撮像部
１５  記録部
１６  制御部
２１  通信部
２２  記録部
２３  制御部
１０１  端末装置
１０２  端末装置
１０３  端末装置
１０４  端末装置
１０５  端末装置
１０６  端末装置
２２１  全体候補情報ＤＢ
２２２  個人候補情報ＤＢ
２２３  病名候補情報ＤＢ
２３１  画像取得部
２３２  読取部
９００  情報システム
【図１】
2020194507.tif 000003
【図２】
2020194507.tif 000004
【図３】
2020194507.tif 000005
【図４】
2020194507.tif 000006
【図５】
2020194507.tif 000007
【図６】
2020194507.tif 000008
【図７】
2020194507.tif 000009
【図８】
2020194507.tif 000010